(57)【要約】【目的】可変入賞装置におけるソレノイドや検出スイッチに給電し、また信号の送受信の中継をする中継基板を装置本体部に装着する中継基板取付台を安定的に、且つ手際よく組込めるようにする。【構成】入賞装置本体部１８の背面部に装着される基板取付台６０の背面側に中継基板６１の装着部６２を設け、前面側には脚端に当接片６７ａを備える少なくとも１本の固定支脚６７を含む当接支脚６６，６７，６８と、脚端に係止爪６９を備える係止支脚７０とを相互の間に所要の間隔をおいて延設し、これら支脚を本体部の背面部に取付けるソレノイド２０，２１を跨いで突き入れ、前記固定支脚６７及び当接支脚６８の各脚端を当接し、また前記係止支脚７０の脚端の前記係止爪６９を本体部１８の係止部に掛け止めて基板取付台６０の前後方向の移動を拘束し、同時に前記固定支脚の当接片６７ａを前記本体部に直接ビス止めして固定し、中継基板を組付ける。【選択図】        図５
2005143816.tif 000002
【特許請求の範囲】
【請求項１】
入賞室を有し、その前面に開設する飛入口に開閉扉を備えると共に、入賞室に飛入した球を検出する検出スイッチを備える本体部と、該本体部の後部に取付けられる前記開閉扉を駆動するためのソレノイドと、該ソレノイド及び前記検出スイッチのための中継基板とを取付ける基板取付台を備えてなり、前記基板取付台には前記ソレノイドを跨いで前記本体部の後部に達する長さの１乃至複数本の当接支脚と、脚先端に係止爪を有する係止支脚とを相互間に所要の間隔をおいて延設すると共に、前記当接支脚の少なくとも１本を固定支脚としてその脚端を前記本体部の後部に直接ビス止めし、その一方、前記係止支脚の係止爪を前記本体部の係止部に掛け止めて前記ソレノイドを跨いで前記本体部の背後に取付けるようにしてなることを特徴とした可変入賞装置。
【請求項２】
請求項１の記載において、基板取付台は矩形の板状に形成し、上下いずれか一方の縁部に少なくとも１本の当接支脚を配置し、他方の縁部に係止支脚を配置することを特徴とした可変入賞装置。
【請求項３】
請求項１の記載において、基板取付台は矩形の板状に形成し、下方の縁部に間隔をおいて少なくとも２本の当接支脚を配置し、上方の縁部には少なくとも１本の係止支脚を配置することを特徴とした可変入賞装置。
【請求項４】
請求項１乃至３の記載において、当接支脚の脚端にはビス穴を穿つ当接片を一体に設けてなることを特徴とした可変入賞装置。
【請求項５】
請求項１乃至４の記載において、係止支脚の係止爪は本体部に固着するソレノイドの固定用取付金具に掛け止めることを特徴とした可変入賞装置。
【請求項６】
請求項１乃至５の記載において、基板取付台の背面には相対向する縁部に内向きの係止爪を有した一対の係止片を設け、その少なくとも一方の係止片を弾性係止片にして中継基板の対向する縁部に掛け止め固定することを特徴とした可変入賞装置。
【発明の詳細な説明】
【技術分野】
【０００１】
本発明は、ソレノイドによって開閉動する開閉扉を飛入口前面に備えてなるパチンコ機の可変入賞装置に関する。
【背景技術】
【０００２】
飛入口に開閉扉を備えてなる可変入賞装置は、一般に大入賞装置乃至大入賞口と称され、遊技盤前面に形成される遊技部の下部に設置されるのが普通である。
この入賞装置は遊技部の中央に設置される可変表示装置と連動する関係に置かれるのが一般的で、例えば上記可変表示装置における「当り」が成立したとき、飛入口の前面の開閉扉を開放し、多数の入賞球の飛入を短時間に達成させて、多数個の賞球の放出を行うように使用される。
【０００３】
従って、上記可変入賞装置は可変表示装置と組になって使用されることになるが、近時パチンコ機の動的要素の求めに合せて上記可変表示装置の大型化が進み、これに伴って限りある遊技部の空き空間が狭くなり、その他の部品の設置領域が狭められる傾向にある。
この様な中にあって、可変入賞装置は開閉扉を開閉するソレノイド等駆動源を備えることに加えて入賞球を検出し、計数する検出スイッチや、表示用乃至照明用のランプを組込んだり、更には入賞球を振り分けるため、その動力となるソレノイドを組込む等、諸種の部品類を備えるため、必然的に大型のものとなり、これが可変表示装置の大型化、つまりその拡大の妨げとなっている。
【０００４】
この可変入賞装置が大型になる理由は、上述の様に多くの部品を組込むことによるが、特に開閉扉を駆動するソレノイドや、装置内部に組込まれる入賞口を選択する入賞球の振り分け台（揺動板）を駆動するソレノイドは、それ自体の小型化が困難であると同時に、動作を伝えるプランジャには伸縮動する空間が必要となるため入賞装置自体にこの空間を用意する必要があり、小型化を妨げる一つの要因となっている。
【０００５】
従来、可変入賞装置の小型化を図る上から、入賞装置の入賞室を構成する本体部分の背後に駆動源であるソレノイドを縦向きに設置し、プランジャの伸縮方向を上下方向にして、Ｌ字形の揺動腕を介してこの上下の動作を前後方向に変換し、開閉扉に伝達する方法が提案され、実施されている（例えば特許文献１）。
この従来例は、ソレノイドを縦向きに設置することによって入賞装置全体の前後の長さが小さく纏められ、小型化に貢献するものとなっており、またソレノイドの縦向きに合せてその背後にソレノイドや検出スイッチのための中継基板を取付ける基板取付台を配置して配線作業等組立が容易に行えるようにしてある。
【０００６】
【特許文献１】特開２０００−１２６４１２号公報、発明の詳細な説明の項中、段落００１０，００１１、及び図面の図２、図３、図６。
【０００７】
しかし、上記従来例は入賞装置全体の小型化には成功しているが、ソレノイドを縦向きに配置することから上下方向の厚みが大きくなり、結果的に上方に設置される可変表示装置の下方に向けての拡張が自由にならないものとなっている。
勿論、この問題の解決にはソレノイドそのものを小型化することによって解決することが可能であるが、前述したように小型化することは出力に影響したり、製造時組立に困難さを生ずる等、別の問題を発生させるため最良の解決策とはならない。
【発明の開示】
【発明が解決しようとする課題】
【０００８】
本発明は上述従来の問題点に鑑み、可変入賞装置自体の上下の厚みを減少させて可変表示装置の下方への拡大を可能にすると同時に、この入賞装置の厚みの減少に伴い設置位置が限定されることになる中継基板（入賞装置本体部に設置される前述のソレノイド、検出スイッチ、或は照明乃至表示用のランプ等と、パチンコ機本体乃至遊技盤に備えられる遊技制御用の主制御基板とを連絡して相互の信号を中継送信すると共に、電力を供給するための中継基板をいう。以下、単に「中継基板」という。）の基板取付台を容易に且つ安定的に組込めるようにした改善された可変入賞装置を提供しようとするものである。
【０００９】
開閉扉、或は振り分け台を駆動するソレノイドを小型化することなく入賞装置自体の縦幅、つまり厚みを小さくするためにはプランジャの向きを前後方向か、横方向、つまり水平方向に変更し、プランジャの作動空間を上下の幅から横方向の幅、つまり水平方向の幅に変えてやる必要がある。この場合、プランジャの伸縮作動方向を左右方向とすると、上下に開閉する開閉扉に対して動力の伝達機構が複雑化して設計上、また製造上困難になるので実際にはソレノイドのプランジャは前後方向に向けて伸縮するよう設置されることになる。
【００１０】
このソレノイドの前後方向に向けた横向き姿勢は、入賞装置本体の厚みを減少させる上で極めて効果的である。しかし、このソレノイドの横向きに伴ってソレノイドの設置空間が前後に長くなり、これに伴い入賞装置の背後に備えられる中継基板の基板取付台が入賞装置本体から離れる結果、入賞装置本体に対する取付台の組付けが困難になる。
【００１１】
本発明は、この中継基板の基板取付台の取付けを改善して容易に、且つ確実にして前記ソレノイドの前後方向に向く横向き設置を可能にし、上下に薄い可変入賞装置とすることに成功したのである。
【００１２】
現在製造されている可変入賞装置は、合成樹脂を素材にした射出成形品であり、入賞球を受け入れる入賞室を中心とした本体部を筺形に形成して、この本体部にソレノイドを組付け、更に中継基板の基板取付台を組付けて完成させる方式が採用されている。前記従来例とした可変入賞装置も同様の方式を採り作られている。
【００１３】
この本体部を中心にしてソレノイド、基板取付台を組付ける方式による場合、前述したようにソレノイドを前後に向けて横向きに設置すると、前後方向に長くなることに伴って基板取付台が本体部から離れることになる。その結果、この取付台と本体部との間を連結する手段が必要となるが、この連結手段は間にソレノイドが介在するため設置する空間が制限され、また、間隔が広がることに伴って保持力が低下し、強固な支持が得にくくなる問題が発生する。
【００１４】
本発明はこの点を改善し、限られた空間内において基板取付台の設置を可能にすると同時に、容易に且つ安定した状態で取付けられるようにして上下の厚みを最大限に縮小させた可変入賞装置の提供を可能にしたのである。
【課題を解決するための手段】
【００１５】
即ち、本発明は上記課題を解決するため、ソレノイドを挟み入賞装置本体部の背後に設置される中継基板の基板取付台からはソレノイドを跨いで前記本体部の背面に達する長さの当接支脚と先端に係止爪を備える係止支脚とを延設し、該当接支脚の先端を本体部の背面に当接する一方、係止支脚の係止爪を本体部に設ける係止部に掛け止め、この両者の協同により基板取付台の取付けを行うようにしたことにある。
【００１６】
そして、本発明においては、前記当接支脚の少なくとも１本の支脚には脚端にねじ止めの当接片を一体に備え、該当接片と入賞装置本体部背面（本体部後部）とをビスにより固着し、この数少ないビスの固着によって基板取付台を安定的に固着することができるようにした可変入賞装置を提供するものである。
【００１７】
本発明を更に詳述すれば、その特徴とするところは、入賞室を有し、その前面に開設する飛入口に開閉扉を備えると共に、入賞室に飛入した球を検出する検出スイッチを備える本体部と、該本体部の後部に取付けられる前記開閉扉を駆動するためのソレノイドと、該ソレノイド乃至前記検出スイッチのための中継基板とを取付ける基板取付台を備えてなる可変入賞装置において、前記基板取付台には前記ソレノイドを跨いで前記本体部の後部に達する長さの１乃至複数本の当接支脚と、脚先端に係止爪を有する係止支脚とを相互間に所要の間隔をおいて延設する一方、前記当接支脚はその少なくとも１本を固定支脚としてその脚端を前記本体部の後部に直接ビス止めすると共に、前記係止支脚の係止爪を前記本体部の係止部に掛け止め、前記ソレノイドを跨いで前記本体部の背後に取付けるようにしてなることを特徴とした可変入賞装置を提供することにある。
【００１８】
また本発明は、前記基板取付台は矩形の板状に形成し、上下いずれか一方の縁部に少なくとも１本の当接支脚を配置し、他方の縁部に係止支脚を配置することを特徴とした可変入賞装置を提供することにある。
【００１９】
また本発明は、前記基板取付台は矩形の板状に形成し、下方の縁部に間隔をおいて少なくとも２本の当接支脚を配置し、上方の縁部には少なくとも１本の係止支脚を配置することを特徴とした可変入賞装置を提供することにある。
【００２０】
また本発明は、前記当接支脚の脚端にビス穴を穿つ当接片を一体に設けてなることを特徴とした可変入賞装置を提供することにある。
【００２１】
また本発明は、前記係止支脚の係止爪は本体部に固着するソレノイドの固定用取付金具に掛け止めることを特徴とした可変入賞装置を提供することにある。
【００２２】
また本発明は、前記基板取付台の背面に相対向する縁部に内向きの係止爪を有した一対の係止片を設け、その少なくとも一方の係止片を弾性係止片にして中継基板の対向する縁部に掛け止め固定することを特徴とした可変入賞装置を提供することにある。
【００２３】
上記本発明に係る可変入賞装置は、言うまでもなく入賞装置本体部を中心にしてソレノイドは勿論のこと基板取付台、ソレノイドの伸縮動を開閉扉、或は振り分け台に伝達する連動部材等、それぞれの部品を個別に成形し、相互を結合することによって入賞装置を組立て完成させるものとしている。
この中で、入賞装置本体部は全ての部品の組付けの中心となり、背面部にはソレノイドの取付けと共に前記基板の基板取付台を取付けるための係止部が設けられる。
【００２４】
上記基板取付台は、前記本体部と同様に合成樹脂を素材にして射出成形し、複数本の当接乃至係止支脚を一体に形成することになる。そして、この基板取付台の背面部には中継基板を係脱自由に係止する係止片を備え、嵌め付け取付けられるようにする。
この基板取付台は板状に形成し、その形状を装着する中継基板と合せ、矩形に形成する場合は同じく矩形にして双方の収まりをよくするようにする。そして、前方に向けられる一面に前記支脚を延設し、他面、つまり背面部に前記係止片を設けることになる。
【００２５】
基板取付台を本体部に止める前記各支脚は、本体部の背後に取付けられるソレノイドを避けて真直に延設し、それぞれの脚端を本体部の背面部に達する長さに形成する。これら支脚の中で当接支脚は複数本適宜の間隔をおいて延設し、この中の少なくとも１本の当接支脚は脚端に当接片を設けて入賞装置本体部に対してビスによって直接固定する固定支脚とする。
【００２６】
また、上記支脚のうち脚端に係止爪を備える係止支脚は、前記当接支脚との間に所要の間隔をおいて延設し、基板取付台が当接支脚の当接によって前方への移動を拘束するのに対して、係止爪を本体部に掛け止めることで後方への移動を拘束し、堅固な安定した取付けを行うことになる。
【００２７】
この２種類の支脚によって前後方向への移動をより効果的に拘束し、且つ取付け作業を容易にするため、当接支脚と係止支脚とを基板取付台の上下の縁部に相対立した状態で延設することになる。
ことに当接片を備え、ビスによって本体部に固着する当接支脚（固定支脚）はビスの揉み込みを容易にする上から基板取付台の縁部に設けられることが好都合であり、また係止支脚は係止爪の掛け止めの際、素材の弾性を以て外部からの操作で撓ませながら掛け止めることから同じく基板取付台の縁部から延設されることが良い。
【００２８】
この様に、当接支脚と係止支脚を一体に備えた基板の取付台は、合成樹脂を素材にして成形し、入賞装置の本体部に対してソレノイドを止着し組付けたのち、ソレノイドの背後から支脚を差し通して当接支脚を前記本体部の背面部に当接し、前方への移動を拘束する一方、係止支脚の係止爪を本体部の係止部に掛け止め後方への移動を拘束する。その後、当接片を有した当接支脚（固定支脚）をこの当接片に設けるビス穴を通してビスを直接本体部の背面部にねじ付け、この取付台の取付けを完了する。
【００２９】
この取付台は上記１本の当接支脚、更に具体的には固定支脚を本体部に対してねじ止めすることで固定され、ソレノイドを跨いだ状態で取付くことになる。
そして、取付けられた基板取付台は当接支脚と係止支脚によって前後の移動は固より係止支脚が設けられる縁部は横から力を受けても係止状態が維持される限り移動することがないので、この係止支脚を上縁部から延設したとき、上方からの押圧に対して強い支持力を発揮することができる。
【００３０】
勿論、本発明の実施に当っては前記取付台の各支脚は本体部との間に介在するソレノイドの前後の長さを超えて本体部背面部に到達できる長さに形成されることを条件とするが、本体部側においてこれらの支脚の脚端を受ける部分を後方に延設した場合には、この延設した長さ分について短くなることは言うまでもない。
【発明の効果】
【００３１】
本発明は、上述説明の様に基板取付台から本体部の背面部に取付けられるソレノイドを超えてこの本体部の背面部に達する当接支脚と係止支脚とを延設して、一方を本体部に当接し、他方を掛け止めて前後方向の移動を拘束するものとしたことから、本体部に対する直接的固定は係止片を備えた１，２本の当接支脚（固定支脚）の固定で足り、従って極めて簡単且つ容易に取付けられることになる。また、この取付けにおいては当接支脚と係止支脚が共同して基板取付台の前後の移動を拘束することから安定的に固定することが可能であり、ソレノイドを跨ぐ複雑な構造の中で簡潔に取付けられる利点がある。
【００３２】
また、上記基板取付台の支脚は製造時にその長さを自由に選択できることからソレノイドの前後の長さに影響されず、従って横向きにするソレノイドが障害とならないので上下の厚みを小さくする可変入賞装置の製造において有利に実施できる利点がある。
【発明を実施するための最良の形態】
【００３３】
板状おなす基板取付台の一面側の一方の縁部、好ましくは下縁部から複数本の当接支脚を所要の間隔をおいて延設し、このうち少なくとも１本の当接支脚の脚端に当接片を設けて固定支脚とする。一方上記基板取付台の他方の縁部（上縁部）から先端に係止爪を有する少なくとも１本の係止脚片を延設して複数本の支脚を一体に備える。そして、他面側には中継基板の取付部を形成して中継基板の取付を可能にする。
【００３４】
この基板取付台を入賞装置本体部の背面部に取付けるソレノイドの背後からこれを跨いで前記支脚を差し通し、各当接支脚の脚端を本体部の背面部に当接させると共に、係止支脚の係止爪を前記背面部に設ける係止部に掛け止めて前後の移動を拘束し、次に前記当接支脚の固定支脚の当接片に形成するビス穴にビスを通して背面部に直接ねじ付け、基板取付台を入賞装置本体部の背面部に取付け、中継基板の装着を可能にする。
次に、本発明の可変入賞装置を図面に示す実施例について更に詳述し、その特徴とするところを明らかにする。
【実施例】
【００３５】
図面は本発明に係る可変入賞装置の１実施例を示したものである。図１は本発明入賞装置を遊技盤に装着した状態の正面図、図２は拡大正面図、図３は拡大平面図、図４は前方斜め上方から見た斜視図、図５は後方斜め上方から見た斜視図、図６は分解斜視図で、図７、図８は図５の部分の拡大分解斜視図である。
【００３６】
図示する遊技盤１は、前面に打球を誘導する内外のレール２，３を配置し、更にこれらのレールに連続させて半円弧状に飾り枠４を配置して円形状に囲み、遊技盤１の中央部に遊技部５を形成している。上記遊技部５の上部中央部には大型の画面６を有する可変表示装置７を装着し、この可変表示装置７を囲むようにして複数の入賞口８‥と、風車９‥を配置し、障害釘を植設する。そして、前記画面６の直下に始動用入賞口１０を、この始動用入賞口１０の下に本発明に係る可変入賞装置１１を配置する。
【００３７】
上記可変入賞装置１１（以下、単に「入賞装置」と記す。）は、所謂大入賞装置として短時間に多量の入賞球の受け入れを可能にするものであり、図示するように遊技盤１に取付けるための取付基板１２の中央部に飛入口１３を開設し、この飛入口１３に開放時に多くの打球を短時間に受け入れる開閉扉１４を備える。
飛入口１３は横長に開設してあり、開閉扉１４はこの飛入口１３の形状に合せて横長に形成し、下端の両側を支軸１５，１５を介して前記飛入口１３の両側下端に設ける軸受部１６，１６に枢着支持し、支軸１５，１５を支点にして扉の上端を前後に揺動させ、開閉するようにしてある。
【００３８】
前記飛入口１３の内側、即ち取付基板１２の背面側には飛入球を受け入れ、異なる入賞口通路に振り分ける入賞室１７を備える筺形の入賞装置本体部１８を組付け、入賞室１７の内部には振り分け台１９を備える。
上記入賞室１７は飛入口１３に合せて横長に形成してあり、その奥行き幅をパチンコ球が容易に飛入できる幅、具体的にはパチンコ球の直径の２倍を超えない幅を以て形成してある。
【００３９】
前記本体部１８は、入賞室１７を備えると共に、駆動源となる２つのソレノイド２０，２１、並びに入賞球の通過を検出する検出スイッチ２２，２３を取付け、開放する底部にはブロック状をなす底枠２４をはめ込み、当該本体部１８と協同して前記入賞室１７を形成するようにしてある。
上記底枠２４は、本体部１８の背面部を構成する背面板２５から突き出す２本のボス部２６，２６にねじ止めすることによって組付けらる。
また、前記振り分け台１９は背面板２５の前面に植設する支軸２７に振り分け台１９の底部に形成する軸受１９ａを通すことにより揺動自由に取付けられ、入賞室１７に収められる。
【００４０】
前記一方のソレノイド２０は、振り分け台１９を揺動させるための駆動源であり、このソレノイド２０は取付金具２８を介して前記本体部１８の背後に横向きに固定される。
このソレノイド２０のプランジャ２９には支軸３０を介して前記本体部１８に軸承されるＬ字形の連結腕３１の一端がピン３２によって接続し、この連結腕３１の他端３１ａが振り分け台１９の左端の後部に突き出す突起３３に臨み滑合するようになっている。
【００４１】
上記連結腕３１の上記他端３１ａは、断面コ字形に形成してあり、この凹部に前記突起３３を緩く嵌合することにより連結し、前記ソレノイド２０の励磁によってプランジャ２９がばね３４に抗して後方に引かれたとき、前記支軸３０を支点にして前記他端３１ａを跳ね上げ、突起３３を押し上げて下降している振り分け台１９の左端を上昇させる。
【００４２】
前記連結腕３１を支持する支軸３０は、本体部１８に軸承させるに当って本体部１８の背面部に形成する後向きの凹形をなす軸受溝３５，３５に軸の両端を嵌め入れるようにして軸承させてあり、その後方から後述する中継基板の基板取付台に形成する当接支脚の脚端を押し付け、保持するようにしてある。
この軸承に併せて前記連結腕３１は、本体部１８に形成する縦の空間３６に収め、前記入賞室１７の背後に接近して配置し、この空間内で揺動させ、前記振り分け台１９の突起３３を作動するようにしてある。
【００４３】
尚、前記入賞室１７には背面板２５の左端を切り欠いて一般入賞口３７を、また右端を切り欠いて特別入賞口３８を形成し、これらの入賞口に通過する入賞球を検出する前記検出 スイッチ２２，２３をそれぞれ装着する。
【００４４】
上記の如く形成される各部は、入賞装置の本体部１８を中心にして組付け組立てることになる。この組立ては、まず本体部１８に対して底枠２４を組付けるが、その前に各入賞口３７、３８には前方から底部の切欠部を使って検出スイッチ２２，２３を嵌め付け、その後底枠２４を嵌め付けてねじ止めし、その組付けを行う。
そうした後、支軸２７を介して振り分け台１９を入賞室１７に収め、本体部１８の後方に突き出す支柱３９を利用して前記取付金具２８を介してソレノイド２０を固定する。その後、連結腕３１を支軸３０によって取付けるのに併せてその端部３１ａを前記振り分け台１９の突起３３に滑合させ、振り分け台１９とこれを駆動するソレノイド２０を中心とした組立を完成させる。
【００４５】
一方、取付基板１２に対して飛入口１３を塞ぐ開閉扉１４を支軸１５，１５の軸着により蝶着し、またこの開閉扉１４を駆動するソレノイド２１を本体部１８に取付金具４０を介して取付ける。
ソレノイド２１は、ばね４１で前方に付勢したプランジャ４２の先端を、支軸４３を介して本体部１８の側面に軸着支持する揺動板４４に対してピン４５を以て回動自由に連結し、プランジャ４２の出入りに伴って上記揺動板４４の先端（前端）が上下に揺動できるようにする。
【００４６】
前記揺動板４４は、先端を二又にして凹部４６を形成し、この凹部に前記開閉扉１４の右端に後方に向けて突き出す滑合片４７を受け入れて連結させてある。
この揺動板４４と滑合片４７の連結は、取付基板１２の背面に本体部１８が固定されることに併せて行われる。そして、前記ソレノイド２１が失磁状態にあってばね４１の付勢でプランジャ４２が伸長状態にあるとき、揺動板４４は先端を下降させ、前記滑合片４７を引き下して開閉扉１４を閉塞することになる。
【００４７】
図中、４８は本体部１８に固定し、前記ソレノイド２１のプランジャ４２とこれに連結する揺動板４４から構成される連動部材４９に対して行われる不正行為から防護するための防護板である。
この防護板４８は、本体部１８の側部において露出する連動部材４９を被い隠せる広さの矩形の板からなり、下端部の内面側には本体部１８に固定するための固定部５０を備える。そして、この固定部５０には前記揺動板４４を支持する支軸４３を受けるための軸受部５１、５２を一体に備え、本体部１８に対する固定に併せて上記支軸４３を軸着する構造になっている。
【００４８】
図９は、上記防護板４８と本体部１８との取付け関係を具体的に示したものである。プラスチックを材料に矩形の板として形成する防護板４８には内面側下端部に直角に腕を伸ばして前記固定部５０を一体に設け、これと共に前記防護板４８の内面に前方（図面において左方）に向けて開口するＪ字形の隆起部を形成し、前記支軸４３の一端を受ける軸受部５１を設けている。その一方、前記固定部５０の先端側からは台形状の軸押え５２を前方に向けて突き出すように設け、上記支軸４３の他端を受けるようにしている。
【００４９】
一方、入賞装置本体部１８の入賞室１７の側板５３の後端から軸受板５４を延設し、この軸受板５４に並行させて前記特別入賞口３８に連通する入賞球通路５５を本体部１８の後部に設けてこの両者を相対向させ、且つ前記軸受板５４の後端部にはＵ字形に切欠く受部５６を、そして前記入賞球通路５５の外側面に上記受部５６と向き合うように図示しないＵ字形の受部を設けて、この２つの受部と前記防護板４８に設ける軸受部５１と軸押え５２とをそれぞれ前後方向に相対向させて両者の挟み付けによる協働によって支軸４３の両端部をそれぞれ軸承するようにしてある。
【００５０】
即ち、前記支軸４３による軸承に際しては、先ずこの支軸４３を揺動板４４に穿つ軸受孔４４ａに挿通し、次に支軸４３の一端を前記受部５６に、そして他端を入賞球通路５５の外側面に形成する図示しない受部に嵌め入れ、その後、この両受部の背後を塞ぐように前記防護板４８の固定部５０を添わせ、軸受板５４の受部５６から側方に突き出す支軸４３の一方（外側）の端部を軸受部５１に受け入れ、且つ同時に軸押え５２を図示しない入賞球通路５５に設ける受部に当接して他方（内側）の端部を閉じ込める。
その後、固定部５０に穿つ透孔５７，５７にねじ５８を通してこれを軸受板５４の後端に設けるねじ受け孔５９、及び入賞球通路５５の後端に設ける図示しないねじ受け孔にそれぞれねじ付けて固定し、支軸４３の軸承と防護板４８の取付けを同時に完了させる。
【００５１】
尚、図９においては、説明のためねじ受け孔５９にねじ５８を直接ねじ込んだ姿を示しているが、防護板４８を止め付ける際は、このねじ５８を外し、前述したように透孔５７に通した後ねじ付けて固定部５０を止め付けることになる。
この様にして取付けられた防護板４８は図３乃至図５に示したように連動部材４９を構成するプランジャ４２及び揺動板４４の外側に近接して立ち上り、露出する側面を被い隠すことになる。
【００５２】
ところで、本発明の入賞装置においては、前記入賞装置の本体部１８に対して前述の如くソレノイド２１を含む連動部材４９と防護板４８を組付けたのち、この本体部を前記取付基板１２の背面に添わせ、ねじ止めすることで組立てることになる。
この組立によって、本体部１８の開放した入賞室１７は前面を塞がれ、横長の空間となり取付基板１２に開設した飛入口１３をその前面の中央に位置させることになる。そして、これから飛入する入賞球を受け入れ、前記振り分け台１９に導くことになる。
振り分け台１９は上記飛入口１３の位置より低く設置し、球の飛び込みの妨げにならないようにしてある。そして、飛入する入賞球は振り分け台１９の傾きによって傾き方向に誘導されると共に、この傾きとは関係なく飛入する勢いにより台の端部を越えて入賞室１７の両端に開設する前記一般乃至特別の入賞口３７，３８に飛入することが可能になっている。
【００５３】
図中６０は、前記本体部１８の背面にソレノイド２０，２１の組付けを完了した後、これらソレノイドを跨いで前記本体部の背面部を足場に装着する中継基板６１を取付けるための基板取付台である。
この基板取付台６０は前記中継基板６１の形状に合わせて横長長方形の板状に形成してあり、その背面には中継基板６１を装着するための基板装着部６２を設けている。この装着部６２は縁部に沿って突条６３を隆設し、この内側に上記中継基板６１を嵌め込むようにして取付ける。
【００５４】
この実施例では上記装着部６２の右方の縁に内向きの爪を備えた係止片６４を突設し、またこの片６４に対向して左方の縁に同じく内向きの爪を備えた弾性を有する弾性係止片６５を突設して、前記装着部６２内に中継基板６１を装着する際、その右端を前記係止片６４に掛け止め、次に左端を前記弾性係止片６５に押し付け、弾性を利用して掛け止め、脱落しないように装着できるようにしてある。
【００５５】
この基板取付台６０の前面には、３本の当接支脚６６，６７，６８と、先端に係止爪６９を設けた係止支脚７０が設けてある。
上記各支脚は、基板取付台を本体部１８に取付けるための係止手段であり、本体部に対して予め装着される前記ソレノイド２０，２１を超えて本体部の背面部に取り付くことができるように各支脚は後方に突き出す前記ソレノイド２０，２１を超える長さに形成される。
【００５６】
図１３は、この実施例における前記各支脚６６，６７，６８，７０の配置を示したものである。当接支脚６６，６７，６８は基板取付台６０の下縁部に沿って２本が、そして右方の縁の中央に１本が配置されている。
下縁部の左端に設けられる当接支脚６６は脚端に当接片６６を備えて固定支脚としてあり、これにはビスを通すビス穴７１が設けてある。
そして、下縁部の中央に配置される当接支脚６７も同様に脚端にビス穴７１を穿つ当接片６７ａを備えて固定支脚としてあり、この支脚の当接片６７ａには連接して左右間隔を置いて一対の押圧突起７２，７２が設けてある。
【００５７】
上記固定支脚６７の脚端に形成される押圧突起７２，７２は、前記本体部１８の背面部に形成する前記２つの軸受部３５，３５に対応させてあり、脚端を本体部１８の背面部に当接するのに合わせてこの軸受部３５，３５に嵌る前記支軸３０の両端部分を背後から押圧し、この支軸３０を軸承することになっている。
一方、他の当接支脚６８は、右方の縁にあって前記係止支脚７０に対設させてある。そして、この係止支脚７０は帯板状に形成して弾性を付与してあり、内向きに突設する係止爪６９を弾性を利用して後退できるようにして本体部背面部に形成する係止部に対して掛け止め易くしてある。
【００５８】
上記構成された基板取付台６０は、各支脚をソレノイド２０，２１の背後から隙間を通して差し入れ、固定支脚６６，６７を含む各当接支脚の先端を本体部背面部の所定位置に当接させ、同時にこの作業に併せて係止支脚７０の係止爪６９を掛け止めることになる。
このうち、当接支脚６６は脚端の当接片６６ａを本体部１８に設ける受部７３に当接し、ビス穴７１に通すビス７４を上記受部７３に揉み込みこれに固着する（図９参照）。一方、当接支脚６７は当接片６７ａを本体部の受部７５に当接してビス穴７１に通すビス（図示せず）をこの受部７５に揉み込んで固着する。
【００５９】
尚、この実施例では、当接支脚６８は、ソレノイド２０を取付ける前記取付金具２８に当接させ、また係止支脚７０は係止爪６９を上記取付金具２８の縁に掛け止め、取付けるようにしている。
図１２は、この関係を説明したものである。上記当接支脚６８は本体部１８に備える前記支柱３９を介して固定する取付金具２８の後面に当接させ、また係止支脚７０は係止爪６９を同じく取付金具２８の縁に掛け止めてこの両支脚６８，７０によって前後から挟み付けるようにしてある。
【００６０】
ここで取付金具２８を利用して２つの支脚６８，７０を止め付けるようにしているのは、係止支脚７０の爪６９の掛け止めを確実にすることによるもので、取付金具２８を利用せずに直接本体部１８の背面部に当接支脚６８を当接し、またこの背面部に係止部を設けて前記係止爪６９を直接掛け止めるようにしてもよい。
【００６１】
この様にしてなる基板取付台６０は、従って当接支脚６６，６７，６８及び係止支脚７０を本体部１８の背面に向って突き入れ当接した後、固定支脚６６，６７の当接片をビス止めし、併せて係止支脚７０の係止爪６９を弾性を利用して掛け止めれば、本体部１８に対してソレノイドを跨いだ状態で装着することができることになる。
【００６２】
ここで基板取付台６０を４本の当接乃至係止支脚によって固定する例を説明したが、この場合、各支脚を適宜分散状に配置して均等に支持するようにすると安定した支持が期待できる。勿論、支脚を４本としたことは少ない本数によって効率的に支持するためであり、従って、３本としても、また５本としてもよい。
【００６３】
ただ、ここでは固定支脚６７について当接支脚とするだけでなく、支軸３０に対する軸承手段として兼用するために増設してあり、従ってこの軸承方法を他に変更すれば、省略することは可能である。しかし、固定支脚６７をこのように利用すると複雑な構造の中で支軸３０を軸承する組付けの構造が簡単になるので入賞装置本体部の組立が容易になる利点がある。
【００６４】
ところで、当該実施例では固定支脚６６，６７を含む当接支脚を基板取付台６０の下縁部に、そして係止支脚７０を上縁部に設けているが、これによると取付の作業性が良くなる外に、少ない本数の支脚によって堅固な取付を行うことができる。特にここでは取付台７０に対して上方から負荷が作用したとき、下方の当接支脚が支えとなり、上方の係止支脚７０が引き離しに抗してしつかりした装着を確保することになる。  
【００６５】
尚、前記中継基板６１は前述したように主制御基板に接続して前記ソレノイド２０，２１や検出スイッチ２２，２３等の基板からの配線が集中することになり、基板自体には回路パターン、抵抗、コネクタ等が一体に設けられることになる。そして、この基板には前記基板取付台６０に装着した後、上記コネクタを介して図示しない主制御基板やソレノイド等が接続され、セットを完成することになる。
【００６６】
尚図中、７６，７７は取付基板１２の前面に貼り付ける飾り板であり、７８，７９はこの飾り板の前面に備え入賞ポケット、８０，８１は各入賞ポケットに飛入した入賞球を遊技盤背後の入賞球通路に誘導する樋で、８２，８３は入賞球を検出するため樋８０，８１に組付ける検出スイッチである。
【００６７】
上述構成される本発明入賞装置１１は、前述した所謂大入賞口と同様に遊技盤１に配置され、ここでは可変表示装置７に連動して作動するように設定される。つまり、始動用入賞口１０へ打球が飛入し、遊技制御装置（主制御基板）による抽選の結果、可変表示装置７に表示される図柄が「当り」を表示したとき、ソレノイド２１が励磁し、揺動板４４の揺動を介して飛入口１３の開閉扉１４が前方に向けて傾倒し開放して打球の飛入を可能にする。
【００６８】
その一方、この実施例では、これと同時に他方のソレノイド２０が励磁して振り分け台１９を左上りに傾け、飛入口１３から飛入するパチンコ球を特別入賞口へと優先的に振り向けることが行われる。
尚、言うまでもないが、この実施例では上述のように、入賞室１７に内蔵する上記振り分け台１９、及びこれを駆動するソレノイド２０を装備する例について説明しているが、本発明の実施においてはこれらを省略して開閉扉１４及びそれのソレノイド２１を装備するものについての実施を妨げるものではない。これらは可変入賞装置の設計において自由に選択されるものである。
【００６９】
さて、上記の状態において飛入した入賞球が前記特定入賞口３８に入ることにより継続して次なる開放が確定したとき、ソレノイド２０が失磁してばね３４の付勢により連結腕３１が前方に揺動し、前記振り分け台１９を左下がりに傾けて飛入球を一般入賞口に向けて優先的に誘導することになる。
一般入賞口３７に飛入した球は、検出スイッチ２２で通過数をカウントされることになり、ここで所定数、例えば１０個の通過球があったとき扉１４が閉じることになる。そして、前記継続が確保されているとき、再び扉１４が開放すると共に、ソレノイド２０が励磁して振り分け台１９を右下がりに傾倒させることになる。そして、継続がないときは閉塞のままとなる。
【００７０】
上記構成される本発明可変入賞装置は、入賞装置本体部１８の背面部に後方に向けて長くソレノイド２０，２１を設置した上でこのソレノイドを超えて背後から基板取付台６０を装着できることから縦方向の厚みを小さくした可変入賞装置の提供が可能となる。従って前述した如く入賞装置の上方の空間を拡張できることから可変表示装置等の装置の拡張が可能となるのである。
【００７１】
また、本発明は基板取付台６０の装着にあたって、当接支脚のうち、最少１本の固定支脚６６若しくは固定支脚６７をその当接片６６ａ又は６７ａを介してビス止めすれば、その他の当接支脚の当接と、係止支脚７０の掛け止めが加わることによってしっかりした装着が達成されることになり、しかもこの場合、上記他の当接支脚は本体部１８に向けて差し込むだけでよく、係止支脚７０はこの差し込みに伴って弾性が作用して撓み、係止爪６９を本体部１８に対して掛け止めることから極めて簡単な作業によって装着することができることになる。
【００７２】
勿論、基板取付台６０は合成樹脂を素材に成形できるものであることから支脚を含む一体成形が可能であり、また各支脚は設計に基いて自由に長さを選択することができるので横向きに設置するソレノイドの組付けの妨げとなることはなく、入賞装置自体を薄型にすることができる。
また、この基板取付台は背面に装着部を備えることから中継基板の取付が容易であり、また交換も容易であることから遊技設定の変更にも容易に対応することができる利点がある。  
【図面の簡単な説明】
【００７３】
【図１】本発明に係る可変入賞装置の使用状態を説明する正面図。
【図２】可変入賞装置の拡大正面図。
【図３】可変入賞装置の拡大平面図。
【図４】可変入賞装置を斜め前方から見た拡大斜面図。
【図５】可変入賞装置を斜め後方から見た拡大斜視図。
【図６】可変入賞装置の分解斜視図。
【図７】図６の振り分け台を作動するソレノイドを中心にした関連部分について拡大して示した斜視図。
【図８】図６の開閉扉を作動するソレノイドを中心にした関連部分について拡大して示した斜視図。
【図９】本体部とソレノイド及び基板取付台の取り付き関係を説明する拡大分解斜視図。
【図１０】本体部からソレノイドと基板取付台を外した状態の拡大分解斜視図。
【図１１】本体部からソレノイドと基板取付台を除いた状態の背面方向から見た拡大斜視図。
【図１２】本体部にソレノイドを取付たのち後方から基板取付台を臨ませる状態を示した分解拡大斜視図。
【図１３】基板取付台の斜め前方から見た斜視図。
【符号の説明】
【００７４】
１１                本発明に係る可変入賞装置
１２                取付基板
１３                飛入口
１４                開閉扉
１７                入賞室
１８                入賞装置の本体部
１９                振り分け台
２０，２１          ソレノイド  
２２，２３          検出スイッチ  
２８，４０          ソレノイドの取付金具
２９，４２          ソレノイドのプランジャ  
３０                連結腕の支軸
６０                基板取付台
６１                中継基板
６２                装着部
６３                突条  
６４                係止爪
６５                弾性係止爪
６６，６７          固定支脚たる当接支脚
６６ａ，６７ａ      当接片
６８                当接支脚
６９                係止爪
７０                係止支脚
７１                ビス穴    
【図１】
2005143816.tif 000003
【図２】
2005143816.tif 000004
【図３】
2005143816.tif 000005
【図４】
2005143816.tif 000006
【図５】
2005143816.tif 000007
【図６】
2005143816.tif 000008
【図７】
2005143816.tif 000009
【図８】
2005143816.tif 000010
【図９】
2005143816.tif 000011
【図１０】
2005143816.tif 000012
【図１１】
2005143816.tif 000013
【図１２】
2005143816.tif 000014
【図１３】
2005143816.tif 000015